(57)【特許請求の範囲】
【請求項１】
ブーツを継手筐体（８２）に締結するための第１の締結領域（１２）と、ブーツをシャフト（７４）に締結するための第２の締結領域（１４）と、前記第１の締結領域（１２）と前記第２の締結領域（１４）との間にあり、前記第１の締結領域（１２）付近の第１の折畳部（２２）および前記第２の締結領域（１４）付近の第２の折畳部（２４）を有する折畳部領域（１６）とを備えるロールブーツ（１０）であって、前記第１の締結領域（１２）と前記第１の折畳部（２２）の間に、第１の締結領域（１２）に隣接し底部（３８）を有する第１のフランジ（２６）を有する第１の移行領域（１８）をさらに備え、前記第１の移行領域（１８）の前記第１のフランジ（２６）の前記底部（３８）によって画定される第１の最小直径Ｄ１と、前記第１の折畳部（２２）によって画定される第２の最大直径Ｄ２との比が、共に主軸（３６）に沿って長手方向の断面で見た場合略１：１．０１から略１：１．２５の間であり、前記第１の移行領域（１８）の前記第１のフランジ（２６）は好ましくは、前記第１の締結領域（１２）の内面（３０）に対して実質的に直角で、さらに好ましくは直角で配置されていることを特徴とするロールブーツ。
【請求項２】
前記ブーツ（１０）の円周に関して少なくとも部分的に、前記ブーツ（１０）の前記第１のフランジ（２６）の外面（２８）、またはその平行線と、円錐形状を有する前記ブーツ（１０）の第２のフランジ（３２）の外面（３４）との間で測定される角度αが、前記ブーツ（１０）の主軸（３６）に沿って長手方向の断面方向で見た場合略３０°から８９．８°の領域内で提供されることを特徴とする、請求項１に記載のロールブーツ。
【請求項３】
前記角度αが、略５６°から略８６°の間であることを特徴とする、請求項２に記載のロールブーツ。
【請求項４】
前記第２の折畳部（２４）と前記第２の締結領域（１４）の間に、前記第２の締結領域（２０）に向かって縮小する直径ｄを有する円錐部分（４０）を有する第２の移行領域（２０）を備えることを特徴とする、請求項１から３のいずれか一項に記載のロールブーツ。
【請求項５】
前記第２の移行領域（４０）から前記第２の締結領域（１４）への移行部（４２）に基本的に切れ目がないことを特徴とする、請求項４に記載のロールブーツ。
【請求項６】
前記ブーツ（１０）内の前記第１の折畳部（２２）と前記第１の移行領域（１８）の間に、または前記第１の折畳部（２２）内、または前記第１の折畳部（２２）と前記第２の折畳部（２４）の間にそれぞれ、少なくとも１つの内側補強リブおよび／または外側補強リブ（４４、４５）を備えることを特徴とする、請求項１から５のいずれか一項に記載のロールブーツ。
【請求項７】
前記第１の移行領域（１８）から前記第２の移行領域（２０）の前記ブーツの材料の厚さが変動することを特徴とする、請求項１から６のいずれか一項に記載のロールブーツ。
【請求項８】
前記厚さが略０．５ｍｍから略３ｍｍの間で変動することを特徴とする、請求項７に記載のロールブーツ。
【請求項９】
前記厚さが前記第２の折畳部（２４）の中で変動することを特徴とする、請求項７または８に記載のロールブーツ。
【請求項１０】
前記第１の折畳部（２２）が凸形状であることを特徴とする、請求項１から９のいずれか一項に記載のロールブーツ。
【請求項１１】
前記第２の折畳部（２４）が凹形状であることを特徴とする、請求項１から１０のいずれか一項に記載のロールブーツ。
【請求項１２】
前記第２の締結領域（１４）の内面（４８）によって画定される直線（４６）と、前記第２の移行領域（２０）の前記円錐部分（４０）の内面（５０）の間で測定される角度βが、略０．５°から略１２°の範囲内であることを特徴とする、請求項４から１１のいずれか一項に記載のロールブーツ。
【請求項１３】
前記第１の折畳部（２２）の内側半径ｒ１と、前記第２の折畳部（２４）の内側半径ｒ２の比が、略１：１から略１：４０の範囲内であることを特徴とする、請求項１から１２のいずれか一項に記載のロールブーツ。
【請求項１４】
前記第１の最小直径Ｄ１と、前記ブーツ（１０）の第１のバインダシート領域（６０）の前記第１の締結領域（１２）の内面（３０）によって画定される直線（５９）によって画定される第３の直径Ｄ３の比が、略６５％から略９５％であることを特徴とする、請求項１から１３のいずれか一項に記載のロールブーツ。
【請求項１５】
請求項１から１４のいずれか一項に記載のロールブーツ（１０）を備えたプランジ継手（７０）。
【請求項１６】
請求項１から１４のいずれか一項に記載の少なくとも１つのロールブーツ（１０）と、少なくとも１つのプランジ継手（７０）と、シャフト（７４）とを備えた継手構成（７２）。
【請求項１７】
少なくとも１つのロールブーツ（１０）が張力を受けて据え付けられることを特徴とする、請求項１６に記載の継手構成。
【発明の詳細な説明】
【技術分野】
【０００１】
本発明は、ブーツを継手筐体に締結するための第１の締結領域と、ブーツをシャフトに締結するための第２の締結領域と、第１の締結領域と第２の締結領域との間にあり、第１の締結領域付近の第１の折畳部および第２の締結領域付近の第２の折畳部を有する折畳部領域とを備えるロールブーツに関する。本発明はさらに、本発明によるロールブーツを備えるプランジ継手、ならびに本発明による少なくとも１つのロールブーツおよびシャフトを有する継手構成に関する。
【背景技術】
【０００２】
本発明によるロールブーツは、例えばボールソケット継手またはトリローブ型継手の形態のプランジ継手に対して特に使用されてよく、なかでも等速継手に使用されてもよい。本発明によるロールブーツは全て、特にプランジ継手として一実施形態において記載する。ロールブーツはまた、ダイアフラムブーツとも呼ばれるが、本発明の文脈においてはロールブーツという用語を使用する。
【０００３】
ロールブーツは、蛇腹状のブーツとは対照的に、一方が凸形状を有し、他方は凹形状を有する２つの折畳部を備える１つの折畳部領域のみを有する。前記２つの折畳部は、それぞれのピーク領域を通る直線を示しており、これは折畳部を略半分に分割し、長手方向の断面で見た場合ブーツの主軸に対しておおよそ平行である。蛇腹状ブーツでは、これとは反対に、このような直線はこのような主軸に対しておおよそ直交している。本発明は、このようなロールブーツのみに関するものであり、蛇腹状ブーツに関するものではない。
【０００４】
ロールブーツは、テンション要素とも呼ばれるバインダ要素を介して継手筐体に対して据え付けられ、本発明によるブーツにおける第１の締結領域から反対側に配置された第２の締結領域においてシャフトに対して固定するのにも利用される。このようなブーツは通常、熱可塑性エラストマー材料、または例えば、ポリウレタン（ＴＰＵ）、ポリアミド（ＴＰＡ）、ポリオレフィン（ＴＰＯ）、ポリエステル（ＴＰＥＥ）、熱可塑性エラストマー加硫物（ＴＰＶ）または熱可塑性ポリエーテルエステルエラストマー（ＴＰＣ−ＥＴ）によるものなど熱可塑性エラストマー材料の混合物からできている。本発明によるブーツの材料または材料の混合物は、他の材料でできている、あるいは他の材料をさらに含む場合がある。特にブーツが自動車に対して使用される場合、自動車産業の需要を考慮すると、本発明によるブーツの材料または材料の混合物が、当該ブーツの利用を念頭に置いて拡散促進混合剤などの添加物または任意の他の添加剤などを含むことを、当業者であれば気付くであろう。しかしながら本発明によるブーツはまた、通常のゴム弾性材料でできていてもよい。
【０００５】
国際公開第２００９／１５５９５５（Ａ１）号パンフレットは、継手筐体に対して据え付けるためのロールブーツを開示している。継手がトリローブ型継手の場合、前記ロールブーツを継手筐体に締結するのにアダプターを合わせて使用する必要がある。国際公開第２００９／１５５９５５（Ａ１）号パンフレットに開示される前記ロールブーツは、角度αを有する第１の折畳部に関する特定の設計を示しており、この角度αは移行領域の外側の基部表面と前記第１の折畳部の第１の折畳部側面の外側との間で測定され、９０°から１４０°の範囲内である。第１の折畳部は、特に鋭利なノーズ形状を有する折畳部のピーク領域の極めて特有の設計を有する。前記ロールブーツによって解決すべき目的は、使用中、ロールブーツに作用する油圧に耐えるロールブーツを提供することである。前記ロールブーツは、コンパクトな設計であり、縮小された内径を有することで、それが遠心力に曝されたとき、ロールブーツに作用する油圧を抑える。
【０００６】
しかしながら前記特有の設計に起因して国際公開第２００９／１５５９５５（Ａ１）号パンフレットに開示されるロールブーツは、特に毎分の回転が大きい場合における使用時の形態安定性が低下する。前記形態安定性が低下したことに起因して、継手構成のいかなる分解を防ぐための保持リングを設けることが必要となり、さらに継手の内側部分に対して（これはさらに継手の雄部材とも呼ばれる）所定の位置に向かってシャフトを推し進めるために継手構成における手段、例えば国際公開第２００９／０６６１２８（Ａ１）号パンフレットに開示されるシャフトばね手段を設けることが必要となる。加えて、国際公開第２００９／０６６１２８（Ａ１）号パンフレットは、雄部材を中心軸に対して軸方向にシャフト上に固定する第１の実際の固定手段を開示している。
【先行技術文献】
【特許文献】
【０００７】
【特許文献１】国際公開第２００９／１５５９５５（Ａ１）号パンフレット
【特許文献２】国際公開第２００９／０６６１２８（Ａ１）号パンフレット
【発明の概要】
【発明が解決しようとする課題】
【０００８】
したがって本発明の目的は、最新技術から知られるロールブーツと比較して形態安定性が向上したことを示すロールブーツ、ならびにこのようなロールブーツを備えるプランジ継手および継手構成を提供することである。
【課題を解決するための手段】
【０００９】
前記目的は、上記に定義されるブーツによって解決され、それは、第１の締結領域と第１の折畳部の間に、第１の締結領域に隣接して、好ましくは直接そこに配置され底部を有する第１のフランジを備える第１の移行領域をさらに備え、第１の移行領域の第１のフランジの底部によって画定される第１の最小直径Ｄ１と、第１の折畳部によって画定される第２の最大直径Ｄ２との比は、共にブーツの主軸に沿って長手方向の断面で見た場合、略１：１．０１から略１：１．２５の間であり、好ましくは１：１．１８、さらに好ましくは略１：１．０２から略１．１２の間であり、さらに好ましくは略１：１．０３から略１：１．０９の間である。本発明のロールブーツの半径方向に対称的な実施形態により、第１の移行領域の第１のフランジの底部はまた、ブーツの内周において少なくとも一部に配置されたリブの頂部面として画定される場合もあることは明白である。このことから、直径Ｄ１は、本発明によるブーツの内部で測定された第１のフランジの底部の間の距離であることが明らかである。第２の最大直径Ｄ２は、第１の折畳部によって画定されるように、ブーツの主軸に対して画定された第１の折畳部の外側の最大値によって画定される。数学的な観念では、第１の折畳部の前記最大値は、前記第１の折畳部の一種の曲がり角であり、ブーツの主軸に対して外側の最大の曲がり角であると定義することができる。２つの直径は共に、組み立てられていない状態においてブーツを考慮して規定される。
【００１０】
本発明によると、別の一実施形態では第１の移行領域は、ブーツの円周に関して少なくとも部分的に略３０°から８９．８°の範囲内の、好ましくは略５６°から略８６°の範囲内の、さらに好ましくは略６０°から略８２°の範囲内の、さらに好ましくは略６２°から略８０°の範囲内の角度αを提供する。
【００１１】
本発明の文脈において、用語「略」は、正確な値に限定されない値を指しているが、参照される値からのわずかな誤差も包含されるべきであることを理解すべきである。特に＋／−５％、さらに好ましくは＋／−２％、さらに好ましくは＋／−１％の誤差は、問題の値を基準として用語「略」の範囲内である。上限８９．８°は、略８９．８°であるとして規定されているのではなく、上限８９．８°は、規定される範囲の限度を定義する正確な値であることを意味することに留意されたい。
【００１２】
「ロールブーツの円周に対して少なくとも部分的に・・・角度αが提供される」という言い回しの意味は、本発明によるロールブーツが、第１の移行領域の領域においてブーツの外周上に隆起を有する場合があり、それがプランジ継手のローラを取り囲むように作用し得ることが可能であるということである。そのような隆起が、第１の移行領域における当該ブーツの円周を囲むように配置され、前記隆起の間の第１の移行領域の一部分において円錐形状を有することにより第２のフランジを形成する場合、角度αが測定される。
【００１３】
前記第１の移行領域の第１のフランジは好ましくは、第１の締結領域の内面に対して実質的に直角で、さらに好ましくは直角で配置される。しかしながら、ブーツが据え付けられるべき継手の外側の部分が実質的に直角に配置されていない継手の前縁部を有する場合、他の角度も可能である。本発明によるブーツの第１のフランジは好ましくは、継手の外側部分の前縁の表面と直接接触し、好ましくは前記内面の少なくとも７０％が継手の外側部分の前縁の表面と直接接触する。
【００１４】
本発明によるロールブーツは特に、ボールソケットプランジ継手またはトリローブ型の内側形状を有するプランジ継手に関して使用されてよい。よって本発明によるロールブーツは、トリローブ型に具現化された継手筐体に適合させるためにアダプターに加えて使用される場合もある。しかしながら本発明によるロールブーツの内側形状は、トリローブ型プランジ継手の場合、特にトリローブ型の等速継手の場合、いかなるアダプターの利用も避けるために継手筐体のトリローブ型の外側形状に既に適合されていることが好ましい。
【００１５】
本発明の文脈において、用語「第１の移行領域」は、第１の締結領域に近接する、好ましくは第１の締結領域に直接隣接する領域として理解されるべきである。それは第１のフランジを始まりとして、好ましくは前記第１の締結領域の内面に対して実質的に直角に配置される。継手筐体について言及すると、前記第１のフランジは、ロールブーツの折畳部領域に向かって誘導される継手筐体の前方の一部を取り囲むものとして記載することができる。
【００１６】
本発明の文脈における「実質的に直角で配置される」という言い回しは、前記第１のフランジの外面と前記第１の締結領域の内面、または前記内面を延長する直線との間の角度が９０°であることが好ましくはあるが、直角からの誤差もまた包含されるべきであることを意味しており、これは、解決すべき目的を解決することができない本発明の一実施形態につながることはない。特に、＋／−５％さらに好ましくは＋／−２％の前記直角の誤差は、前記言い回しの意味の範囲内である。
【００１７】
第１の移行領域の端部領域は、ブーツの主軸に沿った長手方向の断面で見た場合、主張されるロールブーツの折畳部領域の第１の折畳部の第１の湾曲部に隣接して、好ましくは直接隣接して円錐形状を有するブーツの第２のフランジによって画定されてよい。
【００１８】
角度αは、前記第１の締結領域の前記内面に対して実質的に直角で配置されると主張されるブーツの前記第１のフランジの前記外面と、円錐形状を有する前記第２のフランジの外面との間で測定される。前記第１の移行領域から、第１のフランジと第２のフランジの間に配置された円筒形の部分が含まれる場合がある。第１の移行領域の第１のフランジと第２のフランジの間にこのような円筒形の部分が存在する場合、前記角度αは、前記第１のフランジの前記外面の平行線の間で測定され、円錐形状を備える第２のフランジの開始地点を通過する。
【００１９】
主張されるブーツの主な利点は、それが、外側または内側の補強リブが全く存在しない場合でも形態安定性を高めることを実現することである。しかしながら本発明の観点において、外側および／または内側補強リブは、第１の折畳部と移行領域の間に、または第１の折畳部の中、またはブーツ内の第１の折畳部と第２の折畳部の間にそれぞれ存在する場合がある。補強リブは、例えばブーツの中とブーツの外に交互に配置される場合がある。外側補強リブのみ、または内側補強リブのみが存在することも可能である。例えば６、８、１０または１２の外側および／または内側補強リブが存在する可能性がある。
【００２０】
前記向上した形態安定性により、継手の内部部品の分解もまた妨げられる。これは、本発明のブーツによって付与される高い保持力に起因するものである。これにより、大きな角度での屈曲または押し込み作用による継手の内部部品の分解のリスクは抑えられる。
【００２１】
さらに高い保持力を付与する高い形態安定性に起因して、本発明によるロールブーツは所定の位置にあることにより、プランジ継手内でのシャフトの軸方向のセンタリングを実現することで保持リングすなわちばね手段または当分野で知られた他の手段を省くことができる。その点において、および蛇腹状のブーツと比べて、ブーツ内の空気の体積が減少することで前記軸方向のセンタリングを助けている。本発明によるロールブーツを備えた継手構成に含まれる油の量と、ブーツ内の残りの空気体積との比を利用して、このような継手構成の保持行為を最適にすることができる。
【００２２】
本発明の別の好ましい一実施形態では、直径Ｄ１から派生する半径ｒＭは、前記ロールブーツが、いかなるアダプターも必要とせずにトリローブ型継手筐体に対して固定させるためにトリローブ型の内側形状を有するならば、主張されるロールブーツの最小半径ｒＬと基本的に同一であり、あるいは本発明によるロールブーツが、第１の締結領域においてトリローブ型の内側形状を持たない場合、このようなトリローブ型のアダプターによって提供される最小直径と基本的に同一である。
【００２３】
直径Ｄ１とＤ２の比が主張される範囲内にあるならば、当該ロールブーツの作製が有利に簡素化される。これは、主張されるブーツの幾何学形状が、特に角度αが略６０°から略８２°の範囲内にある場合、制限された切り下げを示すためである。さらに保持力に関する最大値は、先に定義されるように直径Ｄ１とＤ２の比によって提供される。
【００２４】
本発明のさらに好ましい一実施形態によると、第２の折畳部と第２の締結領域の間に、第２の締結領域に向かって直径ｄが縮小する円錐部分を備える第２の移行領域が含まれる。第２の移行領域の円錐部分を示す直径ｄは、円錐部分の対向する内面によって画定される。本発明の観念における第２の移行領域の円錐部分は、湾曲部分のない第２の移行領域の一部として画定され、さらに、折畳部領域から始まり第２の締結領域に向かって基本的に一様に縮小する直径を好ましくは有する。本発明の好ましい一実施形態では、第２の移行領域は、前記円錐部分のみを備える。
【００２５】
前記第２の移行領域を設けることによって、本発明によるブーツは所定の位置にあることにより、継手構成内でのノッキングなどのマイナスの作用を生じることなくシャフトに対して支えをする。
【００２６】
本発明の別の好ましい一実施形態では、ブーツは、第２の移行領域から第２の締結領域への移行部を備え、この移行部は基本的に切れ目がない。本発明の文脈において「基本的に切れ目がない」とは、いずれの段差も段もなく第２の締結領域が第２の移行領域に取り付けられることを意味する。特に、前記移行部は段差や段がない。しかしながら一種のビードあるいはリブまたは材料の堆積が、第２の移行領域と第２の締結領域の間の移行部に形成される場合もある。但しこれらは、例えば湾曲した形状などの滑らかな外側形状を有する。上記の全ては主張されるブーツの内側を指している。よって移行部は、第２の締結領域が第２の移行領域に取り付けられる領域内のブーツの材料の内面に配置される。好ましくは突起、各種の材料の堆積などが移行部に全く存在しないことで、前記移行部には実際に段差や段がない。上記の移行部の定義は、第２の締結領域におけるブーツの材料の厚さが、第２の移行領域におけるブーツの材料の厚さより大きくなる可能性を除外していない。
【００２７】
本発明の別の好ましい一実施形態では、ブーツの材料の厚さは、第１の移行領域から第２の移行領域へと変動する。よって第１の移行領域および／または第２の移行領域自体内でのブーツの材料の厚さもまた変動する可能性がある。好ましくは厚さは、略０．５ｍｍから略３ｍｍの範囲内で、さらに好ましくは略０．８ｍｍから略２ｍｍの範囲内で変動する。
【００２８】
本発明の別の好ましい一実施形態では、ブーツの材料の厚さは、第１の締結領域において減少する。さらに好ましくは、ブーツの材料の厚さは前記第２の折畳部において変動する。最も好ましくはブーツの材料の厚さの最小値は、前記第２の折畳部内にある。
【００２９】
ブーツの材料の厚さの変動は、好ましくは先に定義した範囲内で、保持力の微細な調節を可能にし、これにより主張されるブーツの形態安定性の微細な調整を可能にする。本発明によるブーツは使用する際、２つの異なる作動範囲を提供し、これは力／経路の図表において測定され視覚化することができる。好ましくは作動の第１の範囲Ａが存在しており、これは使用中、力、特に軸方向の力が、わずかに増大するのみであるのに対して、前記作動の第１の範囲に直接隣接して作動の第２の範囲Ｂが存在しており、そこでは力、特に軸方向の力が劇的に増大し、特に際限がなくなる。前記作動の第２の範囲Ｂに起因して、本発明によるブーツは、継手内での、特にプランジ継手内でのシャフトの軸方向のセンタリング能力を有する。ブーツの材料の厚さの変動は、特に先に挙げた領域において、主張されるブーツの前記力／経路の微細な調整能力をも可能にし、すなわち作動の第１および第２の範囲の微細な調整能力をも可能にする。
【００３０】
本発明の別の好ましい一実施形態では、ブーツがプランジ継手に据え付けられた場合、最大限に押し込んだ状態で前記第２の折畳部の半径ｒ２は際限がなくなるため、前記ブーツの徐々に増大する軸方向の力もまた際限がなくなる。あるいは、ブーツがこれにより、ブーツが固定され得る継手の分解を阻止すると言うこともできる。上記に述べたことは、伸張した状態の本発明によるブーツを指しており、この場合シャフトは、プランジ継手筐体から可能な限り遠くに引き出されている。このようなブーツはまた、作動の第１の領域Ａと第２の領域Ｂをそれぞれ示している。プランジ継手の分解は、本発明によるブーツに作用する最大の軸方向の力、ひいては、このようなブーツが据え付けられる継手に作用する最大の軸方向の力によって有利に妨げられる。
【００３１】
好ましくは、主張されるブーツの折畳部領域の第１の折畳部は、凸形状である。さらに好ましくは主張されるブーツの折畳部領域の第２の折畳部は、凹形状である。第１の折畳部または第２の折畳部の両方の幾何学的設計はさらに、当該ブーツの形態安定性を微細に調整するのに使用されてよい。とりわけ第２の折畳部は、半径方向、楕円形、クロソイド曲線、双曲線または伸開線のような幾何学形状を有する場合がある。好ましくは第２の折畳部は、実質的に半径方向の幾何学形状を有する。さらに好ましくは、第１の折畳部は、実質的に半径方向の幾何学形状を有する。
【００３２】
好ましくは第１の折畳部の幾何学形状は、実質的に半円の形態として画定されるべきである。さらに第２の折畳部は好ましくは半径方向の幾何学形状を有し、実質的に半円になるように具現化される。後者は特に、第１の折畳部と第２の折畳部の間の移行部を無視した場合、基本的にその状態を保つ。
【００３３】
本発明の別の好ましい一実施形態では、第２の移行領域を指す角度βは、略０．５°から略１２°の範囲内、より好ましくは略１°から略１０°の範囲内、最も好ましくは略１．５°から略７．５°の範囲内である。前記角度βは、本発明に従って第２の締結領域の内面によって画定される直線と、第２の移行領域の円錐部分の内面との間で測定される。第２の移行領域の前記円錐部分の長さ（Ｌ１）と、第１の移行領域の円錐形状を有する第２のフランジの長さ（Ｌ２）の比は、１０：１から２：１の範囲内、好ましくは略３：１から略４：１の範囲内である。第１の移行領域の第２のフランジの長さＬ２ならびに第２の移行領域の円錐部分の長さＬ１は、長手方向の断面で見た場合ブーツの主軸に対して測定される。上記に定義した比の範囲内で、本発明によるブーツが据え付けられる継手構成の最大の接合角度で、第２の締結領域との接触、特にブーツをシャフトに対して据え付けるために第２の締結領域内に設置されるクランプ、特に何らかのクランプ耳、ならびに／あるいは第２の締結領域の外面上に配置されたビードまたは耳状の突起部の形態の何らかの種類の突起部との接触を避けることが可能である。しかしながらその場合がそうであるように、１：１から１：５の比Ｌ１：Ｌ２は、特にブーツがプロップシャフトに使用される場合は本発明の範囲内である。
【００３４】
本発明の別の好ましい一実施形態では、第１の折畳部の内側半径ｒ１と第２の折畳部の内側半径ｒ２の比は、略１：１から略１：４０の範囲内、好ましくは略１：２から略１：１０の範囲内である。前記半径ｒ１およびｒ２は、第１および第２の折畳部の内側形状に関して測定される。第１および／または第２の折畳部の幾何学形状設計が半径方向の設計でなく、半径ｒ１およびｒ２を画定し易くする場合、上記の比は、例えば第１および／または第２の折畳部が楕円形またはクロソイド曲線の幾何学形状を有する場合、曲率の最大半径によって画定される。前記比はまた、特に保持力によって表現される形態安定性に関して、主張されるブーツの作動の第１および第２の範囲を微細に調整するのに利用される場合もある。
【００３５】
本発明の別の好ましい一実施形態では、第１の最小直径Ｄ１と、主張されるブーツの第１のバインダシート領域の第１の締結領域の内面によって画定される直線によって画定される第３の直径Ｄ３の比は、略６５％から略９５％であり（略０．６５：１から略０．９５：１）、さらに好ましくは略７２％から略８５％である。ブーツがボールソケットプランジ継手に関して設計される場合、よってトリローブ形状を持たない場合、このとき第３の直径Ｄ３の定義はかなり明瞭である。しかしながらブーツがトリローブ形状を有するように設計される場合、このとき第３の直径Ｄ３は、長手方向の断面で見たときブーツの主軸と、ブーツのトリローブ型でない部分における第１のバインダシート領域による内面によって画定される直線との間の距離の２倍に等しいことが予測され、この場合その距離は、その最大値である。また第３の直径Ｄ３は、組み立て前のブーツを考慮して画定される。
【００３６】
本発明はさらに、上記に定義したロールブーツを備えるプランジ継手に言及しており、特にトリローブ型継手または球面継手として解釈される等速継手に言及している。好ましくは、プランジ継手は、トリローブ型の等速継手であり、ロールブーツは、第１の締結領域内にトリローブ型の内側形状を有しており、そのため、追加でアダプターを利用する必要がない。このような構成において、ロールブーツの第１の移行領域の第１のフランジは好ましくは、ブーツの主軸に沿って長手方向の断面で見た場合、ブーツの内側に向かって継手筐体の前縁の内面を覆うように突き出ている。このことによって、プランジ継手が分解する可能性が、さらに低くなる。当然、前記プランジ継手の継手筐体の前縁の内面を覆うこのような第１の移行領域の第１のフランジの底部の隆起は、プランジ継手がトリローブ形状のものである場合、ローブのない領域の中で観察される。
【００３７】
当該ロールブーツをプランジ継手と組み合わせることにより、このような構成に挿入されるべきシャフトがある種自動的に軸方向に有利にセンタリングすることになる。
【００３８】
最後に、本発明はまた、本発明による少なくとも１つのロールブーツと、少なくとも１つのプランジ継手と、シャフトとを備える継手構成に言及している。最も好ましくは、少なくとも１つのロールブーツが、張力を受けて据え付けられる。好ましくは継手構成は、２つのプランジ継手と、少なくとも１つの、好ましくは２つの本発明によるロールブーツとを備える。さらに好ましくは継手構成は、１つのプランジ継手および１つの固定継手、ならびに少なくとも１つの本発明によるロールブーツを備える。最も好ましいのは以下の継手構成である。
−本発明による２つのロールブーツを備える２つのプランジ継手、好ましくはトリローブ型プランジ継手を備えるシャフト、
−本発明による１つのロールブーツと、１つの蛇腹状の（またはダイアフラム）ブーツ、あるいは本発明によるロールブーツと比べて形態安定性の低下した、特に軸方向の保持力が低下した任意の他のブーツとを備える２つのプランジ継手、好ましくはトリローブ型プランジ継手を備えるシャフト、
−蛇腹状の（またはダイアフラム）ブーツおよびプランジブーツ、好ましくは本発明によるロールブーツを備えるトリローブ型プランジブーツを備える固定継手を備え、ロールブーツが張力を受けて据え付けられたシャフト、
−２つのプランジ継手、特にトリローブ型プランジ継手と、本発明による２つのロールブーツとを備え、両方のロールブーツが張力を受けて据え付けられることで、据え付け前の状態でのそれぞれの長さに比べてそれぞれの全長が短くなるシャフト、
−上記に定義されているが、両方のロールブーツが伸張されるように張力を受けて据え付けられることで、それぞれの据え付け後の長さが据え付け前の状態のそれぞれの長さと比べて長くなるシャフト、および
−２つのプランジ継手、特にトリローブ型プランジ継手と、本発明による２つのロールブーツとを備え、両方のロールブーツが張力を受けて据え付けられており、すなわち据え付け前の状態のそれぞれの長さと比べて一方のロールブーツの長さが短くなり、他方のブーツの長さが長くなるシャフトである。
【００３９】
２つのプランジ継手と、本発明による２つのロールブーツとを備えるシャフトが提供される場合、ブーツは、張力を受けて据え付けられず、軸方向の力ならびにプランジの経路は、基本的に均等になるように、または両方のロールブーツの中に分散される。一方のロールブーツが長さが短くなるように据え付けられ、他方のブーツは長さが長くなるように据え付けられる場合、プランジ継手の一方は引っ込んだ端部位置に推し進められる。
【００４０】
２つのプランジ継手を備える実施形態では、本発明による一方のロールブーツと、一方の蛇腹状のまたはダイアフラムブーツあるいは形態安定性が劣る、特に保持力が低下した任意の他のブーツは、当該ロールブーツと比べて据え付け後の蛇腹状ブーツまたは形態安定性が劣る任意の他のブーツを備えるプランジ継手につながり、主にシャフトのいかなる運動も行うが、その一方で本発明による据え付け後のロールブーツを備える他方のプランジ継手は、軸方向の動きを全く提供しない、あるいはほとんど提供しないため、固定式継手と同じように作用する。後者は、当該ロールブーツのより高い形態安定性によるものである。
【００４１】
蛇腹状（またはダイアフラム）ブーツを備える固定式継手と、本発明によるロールブーツを備えるプランジ継手とを備える実施形態では、本発明によるロールブーツの軸方向の力に起因して、固定式継手は、軸方向になるように事前にきつく締められるため、固定式継手内での軸方向の動きは打ち消されることになる。
【００４２】
本発明の他の利点および特徴は、本発明の特徴を単なる一例として例示する図面を参照して以下の詳細な記載を読むことで当業者に明らかになるであろう。
【図面の簡単な説明】
【００４３】
【図１】図１は、本発明の第１の実施形態の長手方向の主軸３６に沿った断面図である。
【図２】図２は、図１による第１の実施形態の裏側の前方外面図である。
【図３】図３は、本発明の第２の実施形態の補強リブを配した主軸３６に沿った裏側の拡大部分断面図である。
【図４】図４は、本発明の第３の実施形態による継手構成の一部を示している。
【図５】図５は、本発明の第１の実施形態によるブーツの軸方向の力とプランジ経路の図表である。
【図６】図６は、完全に伸張されたプランジ位置での本発明の第一の実施例によるブーツを含む本発明による継手構成を断面図で示している。
【図７】図７は、本発明の第４の実施形態による継手構成を断面図で示している。
【図８】図８は、本発明の第５の実施形態による継手構成を断面図で示している。
【図９】図９は、本発明の第６の実施形態による継手構成を断面図で示している。
【図１０】図１０は、本発明の第７の実施形態による継手構成を断面図で示している。
【図１１】図１１は、本発明の第８の実施形態の長手方向の主軸３６に沿った断面図である。
【発明を実施するための形態】
【００４４】
本発明を第１の締結領域内にトリローブ型の内側形状を有するロールブーツに関して記載するが、本発明は、第１の締結領域内に別の内側形状を有する他のロールブーツにも適用され利用することができる。
【００４５】
図面の以下の詳細な記載において、特有の方向の用語「外側」、「内側」、「反対側」、「同様のもの」などが使用される。このような用語は、図面を参照することによって構成要素または実施形態の記載を簡便にするために使用されることを理解されたい。このような用語は、いずれの部分も推定する必要がある、例えば上方、下方、左、右などの絶対的な位置や空間を必ずしも描写するわけではない。さらに以下の記載において、種々の作動パラメータや構成要素が複数の構成される実施形態に関して記載されている。このような特有のパラメータや構成要素は、例として含まれており、限定することは意図していない。
【００４６】
冒頭で既に述べたように、ブーツ、ひいては、本発明によるロールブーツも、熱可塑性エラストマー材料または任意の他の種類のエラストマー材料、特にゴムエラストマー材料またはその混合体で作製することができる。熱可塑性エラストマー材料によって利点が与えられる。これらには、２つの異なるポリマー部分、すなわち比較的硬い樹脂部分と、弾性の柔軟な部分とを有する従来技術より知られた材料が含まれる。個々のポリマー部分は、より長鎖の同様のモノマーから成る。樹脂部分は、物理的なネットワークの様な接着によって柔軟な部分を一緒に保持する。本発明によるロールブーツを作製するための熱可塑性エラストマー材料（ＴＰＣ−ＥＴ）は、ＤｕＰｏｎｔ社によって「Ｈｙｔｒｅｌ」のブランド名で市場に流通する熱可塑性材料である。
【００４７】
本発明によるロールブーツは、プレスブロワー（ｐｒｅｓｓｂｌｏｗｅｒ）射出ブロー成形工程を介して形成することができるが、それはまた射出／貫入工程、射出成形工程および射出／押圧工程および／または押出し成形／ブロー成形工程によって形成される場合もある。
【００４８】
次に図面を参照すると、ここでは、種々の図面において同一の構成要素を特定するのに同様の参照番号が使用されており、図１は、本発明によるロールブーツ１０の第１の実施形態の長手方向の主軸３６に沿った断面図を示している。前記ロールブーツ１０は、ブーツ１０を図示されていない継手筐体に固定するための第１の締結領域１２と、ブーツ１０を図示されていないシャフトに締結するための第２の締結領域１４とを備える。第１の締結領域１２と、第２の締結領域１４とを介してブーツ１０を継手筐体とシャフトにそれぞれ据え付ける際、バインダ要素、特にテンション要素が利用される。
【００４９】
第１の締結領域１２は、バインダシート領域６０を提供し、そこにバインダ要素、特にテンション要素が配置され得る。前記バインダシート領域６０の外側に外側リブ５６が位置しており、バインダシート面を提供し、全て同一の形状、好ましくは図１に示される長手方向の断面において正方形状の形を有する。バインダシート面の他方の側には内側リブ５８．１と５８．２とが位置しており、少なくともその一部が第１のバインダシート領域６０内に円周方向に配置されている。ローブのない領域５４には、内側リブ５８．３がさらに設けられており、これはローブ領域５２内には設けられていない。図１に示されるブーツ１０は、トリローブ型の外側形状を有する継手筐体に対して据え付けられるように適合されており、継手筐体に合致するためのトリローブ型の内側形状を示す。これにより使用する際、ロールブーツ１０は、トリローブ型継手筐体に据え付けるためのいかなる追加のアダプターも必要としない。
【００５０】
第２の締結領域１４は、ブーツ１０を図示されていないシャフト上に固定するために第２のバインダ要素、特にテンション要素を配置するための第２のバインダシート領域６２を提供する。バインダシート領域６２の内側に円周方向のリブ６４が位置している。
【００５１】
第１のバインダシート領域６０ならびに第２のバインダシート領域６２は共に、ブーツの外側で円周を通して交互に配置された、または互いに向き合う耳の形の突起部６６および６８の間にそれぞれ画定される。突起部６６および６８それぞれを介する第１ならびに第２のバインダシート領域６０および６２の画定はそれぞれ、例えば円周上のリブ状の突起、または耳の形の突起と円周上の突起の組み合わせ、またはブーツ１０の外側に連続して円周方向に具現化されない任意の他の種類の突起などの任意の他の種類の突起６６および６８によって実現される場合もある。
【００５２】
第１の移行領域１８は、第１の締結領域１２に直接隣接して、第１のバインダシート領域６０を取り囲み、外面２８を有する第１のフランジ２６と、外面３４を有する第２のフランジ３２とを備える。前記第２のフランジ３２は、ブーツ１０の主軸３６に沿って長手方向の断面で見た場合、円錐形状を有する。第１のフランジ２６の外面２８と、第２のフランジ３２の外面３４の間に角度αが画定され、これは６６°である。
【００５３】
直径Ｄ１から派生した最小半径ｒＭは、第１の移行領域１８の第１のフランジ２６の底部３８に関して測定され、ローブ領域５２とその第１の締結領域１２の内面３０によって提供される最小半径ｒＬと同一である。
【００５４】
第１の移行領域１８の後に折畳部領域１６が続いており、これは凸状の半径方向の形状を有する第１の折畳部２２と、凹状の半径方向の形状を有する第２の折畳部２４とを備える。第１の折畳部２２の内側半径ｒ１と、第２の折畳部２４の内側半径ｒ２の比は、１：３前後である（内側半径ｒ１とｒ２の定義に関する図３を参照されたい）。主軸３６に対する折畳部２２の最大距離によって第１の折畳部２２によって画定される最大距離Ｄ２、つまり、主軸３６を基準とした折畳部２２の最大の曲がり角は、直径Ｄ１より大きい。Ｄ１：Ｄ２の比は、略１：１．０８である。Ｄ１：Ｄ３の比は、略８２％であり、これはＤ１がＤ３の略８２％であることを意味している。
【００５５】
折畳部領域１６に直接隣接するのは、円錐部分４０を備える第２の移行領域２０である。第２の締結領域１４の内面４８によって直線４６が画定され、この直線は、円錐部分４０の内面５０によって画定される直線と共に角度βを画定し、これは略３°である。
【００５６】
さらに前記第２の移行領域２０の円錐部分４０は、折畳部領域１６から第２の締結領域１４に向かって見たとき、縮小する直径ｄを有する。
【００５７】
第１の移行領域１８の長さＬ１と、第２の移行領域２０の長さＬ２の比は、略１：４．３である。長さＬ１は、第１のフランジ２６の面２８と第２のフランジ３２の端部領域３３の間で測定される（長さＬ１の定義に関する図３を参照されたい）。端部領域３３は、第２のフランジ３２が第１の折畳部２２を備える折畳部領域１６およびその湾曲部へと進む前に終端する領域として画定される。長さＬ２は、第２の締結領域１４と第２の移行領域２０の間の移行部４２、すなわち前記円錐部分４０に接触する前記移行部４２の端部と、第２のフランジ２４が後に続く前記円錐部分４０の端部、すなわち前記第２の折畳部２４の湾曲が始まる前の部分との間で測定される。
【００５８】
図２は、図１によるロールブーツ１０の第１の実施形態の前方外面図であり、そこからは、特に第１の締結領域１２の第１のバインダシート領域を画定し、ブーツ１０の外側に円周の周りに交互に配置された耳の形の突起部６６がはっきりと見えている。さらに、特に第１のフランジ１６によって提供されるリムおよびその底部３８もはっきりと見えている（Ｌ２の定義に関する図３を参照されたい）。
【００５９】
図３は、本発明の第２の実施形態の主軸３６に沿った裏側の拡大部分断面図であり、主に第１の移行領域１８の第１のフランジと第２のフランジの間の外側リブ４４と、第１の折畳部２２または折畳部領域１６内で、かつ第２のフランジ３２の内面に配置された内側補強リブ４５とを取り込むことによって第１の実施形態とは異なっている。前記補強外側リブ４４および内側リブ４５は、図２に示されるように第１の締結領域１２の第１のバインダシート領域６０を画定する耳の形の突起部６６と同様にブーツの円周の周りに交互に配置されてよい。
【００６０】
次に図４は、本発明の第３の実施形態による継手構成の一部を示しており、筐体８２を備えたプランジ継手７０と共に継手構成７２内に据え付けられたシャフト７４と、本発明によるブーツ１０とを示している。ブーツ１０をプランジ継手７０に対して固定するためのバインダ要素は図４には示されていない。ブーツ１０は、張力を受けて据え付けられていない。第１の移行領域の第１のフランジ２６の底部３８が、ローブのない領域５４においてプランジ継手７０の前縁に突き出すのに対して、ローブ領域５２内ではこのような突き出しが行われないことは容易に導くことができる。
【００６１】
図５は、本発明の第１の実施形態によるブーツの軸方向の力とプランジ経路の図表であり、２つの異なる作動範囲、すなわち略２５ｍｍのみの移動が軸方向の力をわずかに増大させる第１の作動範囲Ａと、７ｍｍ未満の長さにわたって軸方向の力の劇的な増加が行われる第２の作動範囲Ｂとを示している。第２の作動範囲において、ブーツは端部において完全に伸張される。この位置において、ブーツはさらに、継手内でのシャフトの軸方向のセンタリングも行い、さらに継手の内部部品の分解も阻止する位置にある。軸方向の力とプランジ経路の図表は、当該ブーツをＣａｒｌ  Ｓｃｈｅｎｋ  ＡＧ（ダルムシュタット、ドイツ）の引っ張り加圧装置を利用しての引き抜きテストを実施することによって測定された。測定は、３０℃±１０℃の温度で１０ｍｍ／分の引っ張り速度で実施され、ブーツは、プランジ継手に対して据え付けられた状態であった。
【００６２】
図６は、ブーツ１０が完全に伸張された位置での継手構成７２を示しており、この場合シャフト（図示せず）は、継手のローブのない領域に向かって移動される。第１および第２の折畳部２２および２４はそれぞれ、ほとんど湾曲を示しておらず、これは半径ｒ１およびｒ２が際限なくなることを意味することが図６から導き出せる。継手７０の分解は、徐々に増大して最大値（無限）まで進む軸方向の力によって阻止されている。
【００６３】
図７は、本発明の第４の実施形態による継手構成を示しており、２つのトリポード型プランジ継手７０．１と７０．２と共に組み立てられたシャフト７４を示している。本発明によるロールブーツ１０．１および１０．２は、いかなる張力も受けずに継手筐体８２．１および８２．２にそれぞれ据え付けられる。軸方向の動きおよび保持力は、このように、基本的に均等になるように両方のロールブーツ１０．１および１０．２にそれぞれ分散される。シャフト７４は、ブーツ１０．１および１０．２によってそれぞれ付与される高い保持力によってプランジ継手７０．１および７０．２内に軸方向にセンタリングされる。
【００６４】
図８は、本発明の第５の実施形態による継手構成を示しており、シャフト７４は、２つのトリポード型プランジ継手７０．１および７０．２と共に組み立てられている。しかしながら蛇腹状のブーツ７８が、プランジ継手７０．１の継手筐体８２．１ならびにシャフト７４に対して据え付けられるのに対して、本発明によるロールブーツ１０は、プランジ継手７０．２の継手筐体８２．２に対して据え付けられている。前記継手構成７２によって、ロールブーツ１０の形態安定性が高いこと、特に保持力が増大することに起因して、プランジ継手７０．２は、軸方向の動きを全く行わないか、あるいはわずかに行うのみであるため、固定式継手と同様に作用し得ることが達成される。
【００６５】
図９は、本発明の第６の実施形態による継手構成を示しており、シャフト７４は、継手筐体７７を有する固定式継手７６と、トリポード型プランジ継手７０と共に組み立てられる。本発明によるブーツ１０は、トリポード型プランジ継手７０に対してその継手筐体８２上に据え付けられるのに対して、蛇腹状のブーツ７８は固定式継手７６に対して据え付けられる。前記継手構成７２は、ブーツ１０の形態安定性および保持力の方がより高いことにより、プランジ継手７０から固定式継手７８に対して矢印８０によって示される力を提供する。ブーツ１０は、張力を受けて据え付けられる。蛇腹状のブーツ７８も張力を受けて据え付けられる場合もあるが、ブーツ１０に作用する張力は、ブーツ７８に作用する張力より高くなる可能性がある。前記継手構成７２において、固定式継手７６内のシャフト７４の軸方向の動きの少なくとも一部は、固定式継手７６に作用する力によって打ち消されることになる。
【００６６】
図１０は、本発明の第７の実施形態による別の継手構成を示す。前記継手構成７６は、２つのトリポード型プランジ継手７０．１および７０．２と共に組み立てられたシャフト７４を示している。本発明による２つのブーツ１０．１および１０．２は、継手筐体８２．１および８２．２に対してそれぞれ据え付けられ、同様にシャフト７４に対しても据え付けられる。しかしながらブーツ１０．１は、張力を受けて縮小された長さで据え付けられるのに対して、プランジ継手７０．２のブーツ１０．２は、拡張された長さ、すなわち伸張された状態で据え付けられる。よって前記ブーツ１０．１および１０．２を張力を受けて据え付けることに起因して、矢印８０によって示されるように軸方向の力がプランジ継手７０．２に対して作用することになる。図９による構成の場合のように、このようにシャフトの軸方向のセンタリングならびにシャフトに事前に張力を与える作用が達成される。図１０において、シャフト７４は、プランジ継手７０．２内の引っ込んだ端部位置に示されている。
【００６７】
図１１は、本発明の第８の実施形態、すなわちロールブーツ１０を示しており、第１の移行領域１８はまた、第１のフランジ２６と第２のフランジ３２の間の円筒形の部分１９を取り囲んでいる。よって角度αを測定するために、第２のフランジ３２の開始部分に第１のフランジ２６の外面２８に対して平行な平行線２９が置かれる。実際には、図１１に示される実施形態において測定される角度αを有するためには、第１のフランジ２６の外面２８によって画定される直線を、第２のフランジ３２の開始地点の方に単に隣接させる必要があると言える。
【００６８】
本発明はその結果として、ロールブーツの第１の移行領域の特有の設計を通じて、前記ブーツを使用する継手構成においてブーツの形態安定性を高める、特に保持力を高めることを実現するロールブーツを形成する。形態安定性および／または保持力の微細な調整は、特に本発明によるブーツの特定の領域における使用されるべきブーツの材料の厚さの変動によって、ならびに折畳部領域の第１および第２の折畳部の幾何学形状に関して可能である。
【００６９】
本発明者のロールブーツを１つまたは複数の実施形態に関連して記載してきたが、本開示は、限定することを意図していない。むしろ本発明は、上記の記載を考慮に入れた添付の特許請求の範囲内の代替、修正および均等物を全て包含する。
【符号の説明】
【００７０】
１０  ブーツ
１２  第１の締結領域
１４  第２の締結領域
１６  折畳部領域
１８  第１の移行領域
１９  円筒形の部分
２０  第２の移行領域
２２  第１の折畳部
２４  第２の折畳部
２６  ブーツ１０の第１のフランジ
２８  第１のフランジ２６の外面
２９  第１のフランジ２６の外面２８に対して平行な平行線
３０  第１の締結領域１２の内面
３２  ブーツ１０の第２のフランジ
３３  第２のフランジ３２の端部領域
３４  第２のフランジ３２の外面
３６  ブーツ１０の主軸
３８  第１のフランジ２６の底部
４０  第２の移行領域２０の円錐部分
４２  第２の移行領域２０から第２の締結領域１４への移行部
４４  補強外側リブ
４５  補強内側リブ
４６  直線
４８  第２の締結領域１４の内面
５０  円錐部分４０の内面
５２  ブーツ１０のローブ領域
５３  ローブ領域５２の内面
５４  ブーツ１０のローブのない領域
５６  第１の締結領域１２の第１のバインダシート領域の外側リブ
５８  第１の締結領域１２の第１のバインダシート領域の内側リブ
５９  第１の締結領域１２の内面３０によって画定される直線
６０  第１の締結領域１２の第１のバインダシート領域
６２  第２の締結領域１４の第２のバインダシート領域
６４  第２のバインダシート領域６２の内側リブ
６６  第１のバインダシート領域６０の耳の形の突起部
６８  第２のバインダシート領域６２の耳の形の突起部
７０  プランジ継手
７２  継手構成
７４  シャフト
７６  固定式継手
７７  固定式継手の筐体
７８  蛇腹状のブーツ
８０  シャフト７４上の力を示す矢印
８２  継手筐体
【図１】
0005951892.tif 000002
【図２】
0005951892.tif 000003
【図３】
0005951892.tif 000004
【図４】
0005951892.tif 000005
【図５】
0005951892.tif 000006
【図６】
0005951892.tif 000007
【図７】
0005951892.tif 000008
【図８】
0005951892.tif 000009
【図９】
0005951892.tif 000010
【図１０】
0005951892.tif 000011
【図１１】
0005951892.tif 000012